(57)【要約】【課題】筐体の開放側面に、ｘＤカード、ＭＳカード、ＳＭカード、ＳＤカード、ＭＭＣカードなど、様々なメモリ・カードのいずれかを受けるための挿入スロットを備える、複数記憶媒体用コネクタ構造を提供すること。【解決手段】複数記憶媒体用のコネクタ構造は、挿入スロットと、それぞれ挿入スロット内の異なる場所に懸架された、ｘＤカード、ＭＳカード、ＳＭカード、ＳＤカード、またはＭＭＣカードを含めた一連のメモリ・カードの１つを接続する、４組の端子群とを有する。【選択図】図１
0003097154.tif 000002
【実用新案登録請求の範囲】
【請求項１】
複数記憶媒体用コネクタ構造であって、
メモリ・カードを保持する挿入スロットを有し、複数の開口部を上面に備える筐体と、
その各第１端部が、前記筐体の背面端から前記挿入スロットに挿入され、かつ前記開口部内に延び、その各第２端部が、取り付けるために前記筐体の前記背面端の外部に延びる、湾曲形状をした複数の第１端子群と、
その各第１端部が、前記筐体の前記背面端から前記挿入スロットに挿入され、かつ前記第１端子群の下方に配置され、その各第２端部が、取り付けるために前記筐体の前記背面端の外部に延び、かつ前記第１端子群と交差する、やはり湾曲形状をした複数の第２端子群と、
その各第１端部が、前記筐体の前記背面端から前記挿入スロットに挿入され、かつ前記第２端子群の下方に配置され、その各第２端部が、取り付けるために前記筐体の前記背面端の外部に延び、その第２端部が前記第１および第２端子群の第２端部よりも短く、その少なくとも１つの端子が他の端子よりも長い、やはり湾曲形状をした複数の第３端子群と、
その各第１端部が、前記筐体の前面から前記挿入スロットに挿入され、かつ長い前記第３端子群に近接し、その各第２端部が、取り付けるために前記筐体の前面の外部に延びる、複数の第４端子群とを備え、
したがって、メモリ・カードを前記筐体の前面から前記挿入スロットに挿入するときに、前記メモリ・カードにアクセスするために、前記メモリ・カードの複数の接点が、それぞれ前記第１端子群、前記第２端子群、前記第３端子群、または前記第４端子群に接触することができることを特徴とするコネクタ構造。
【請求項２】
前記メモリ・カードを、ｘＤカード、ＳＤ／ＭＭＣカード、スマート・メディア・カード、またはＭＳカードとすることができることを特徴とする請求項１に記載の複数記憶媒体用コネクタ構造。
【請求項３】
前記第１端子群が、前記ＳＤ／ＭＭＣメモリ・カードの前記接点に接触していることを特徴とする請求項１に記載の複数記憶媒体用コネクタ構造。
【請求項４】
前記第２端子群が、前記ＭＳメモリ・カードの前記接点に接触していることを特徴とする請求項１に記載の複数記憶媒体用コネクタ構造。
【請求項５】
前記第３端子群が、前記スマート・メディア・メモリ・カードの前記接点に接触していることを特徴とする請求項１に記載の複数記憶媒体用コネクタ構造。
【請求項６】
前記第４端子群が、前記ｘＤメモリ・カードの前記接点に接触していることを特徴とする請求項１に記載の複数記憶媒体用コネクタ構造。
【請求項７】
前記筐体の両側それぞれに取付け穴をさらに備えることを特徴とする請求項１に記載の複数記憶媒体用コネクタ構造。
【請求項８】
前記コネクタが、固定するために、前記取付け穴の中に位置決めされた取付け板をさらに備えることを特徴とする請求項７に記載の複数記憶媒体用コネクタ構造。
【請求項９】
前記スマート・メディア・メモリ・カードにデータが書き込まれるのを防ぐために、前記筐体内の前記第４端子群の片側に組み込まれた書込み保護装置をさらに備えることを特徴とする請求項１に記載の複数記憶媒体用コネクタ構造。
【請求項１０】
前記書込み保護装置が複数の第５端子群をさらに備えることを特徴とする請求項９に記載の複数記憶媒体用コネクタ構造。
【考案の詳細な説明】
【０００１】
【考案の属する技術分野】
本考案は、メモリ・カード・コネクタに関し、より詳細には、筐体の開放側面に、ｘＤカード、ＭＳカード、ＳＭカード、ＳＤカード、ＭＭＣカードなど、様々なメモリ・カードのいずれかを受けるための挿入スロットを備える、複数記憶媒体用コネクタ構造に関する。
【０００２】
【従来の技術】
フラッシュ・メモリは、データ記憶に関する情報産業に利便性をもたらす。単一または独立、または一時データ記憶の場合に、フラッシュ・メモリによって、大容量の主メモリを組み込む必要がなくなる。単一品のフラッシュ・メモリを使用することで、特定のデータの記憶およびファイル管理が容易になる。
【０００３】
デジタル・カメラ、デジタル・ビデオ・カメラ、ＭＰ３プレイヤー、ＰＤＡなど、家庭用電化製品で使用するためのメモリ・カードには、ＭＭＣカード（マルチメディア・カード）、ＳＤカード（セキュア・デジタル・カード）、ＳＭカード（スマート・メディア・カード）、ＣＦカード（コンパクト・フラッシュ・カード、タイプＩおよびタイプＩＩ）、ならびにオリンパス光学工業と富士写真フィルムによって開発されたｘＤカードが含まれる。ＳＤカードとＭＭＣカードは、ピンの数が異なる。これら２つのカードは、読取り／書込み機器の同一のスロットを使用する。ｘＤカードの記憶容量は、画像処理に関するユーザの要件を満たすよう、いくつかのＢＧＢに拡張することができる。しかし残念なことに、従来の読取り／書込み機器は、ｘＤカードを読み取ることができない。
【０００４】
【考案が解決しようとする課題】
市販の読取り／書込み機器は、普通、メモリ・カードの特定のモデル、またはメモリ・カードのいくつかのモデルのうちの１つを装填するスロットを１つしか備えていない。異なるモデルのメモリ・カードを読み取るには、ユーザが、読取り／書込み機器を変更しなければならないことがある。この問題をなくすために、様々なメモリ・カードを読み取ることのできる読取り／書込み機器が開発されている。しかし、これらの汎用読取り／書込み機器は、様々なメモリ・カードを受ける少なくとも１つのスロットを前面開口部に備えているが、汎用読取り／書込み機器のスロットは、今日のｘＤカードにアクセスすることができない。
そこで本考案の目的は、筐体の開放側面に、ｘＤカード、ＭＳカード、ＳＭカード、ＳＤカード、ＭＭＣカードなど、様々なメモリ・カードのいずれかを受けるための挿入スロットを備える、複数記憶媒体用コネクタ構造を提供することである。
【０００５】
【課題を解決するための手段】
本考案の一態様によれば、複数記憶媒体用のコネクタ構造は、挿入スロットと、それぞれ挿入スロット内の異なる場所に懸架された、ｘＤカード、ＭＳカード、ＳＭカード、ＳＤカード、またはＭＭＣカードを含めた一連のメモリ・カードの１つを接続する、４組の端子群とを有する。
詳述すると、本考案の複数記憶媒体用コネクタ構造は、
メモリ・カードを保持する挿入スロットを有し、複数の開口部を上面に備える筐体と、
その各第１端部が、前記筐体の背面端から前記挿入スロットに挿入され、かつ前記開口部内に延び、その各第２端部が、取り付けるために前記筐体の前記背面端の外部に延びる、湾曲形状をした複数の第１端子群と、
その各第１端部が、前記筐体の前記背面端から前記挿入スロットに挿入され、かつ前記第１端子群の下方に配置され、その各第２端部が、取り付けるために前記筐体の前記背面端の外部に延び、かつ前記第１端子群と交差する、やはり湾曲形状をした複数の第２端子群と、
その各第１端部が、前記筐体の前記背面端から前記挿入スロットに挿入され、かつ前記第２端子群の下方に配置され、その各第２端部が、取り付けるために前記筐体の前記背面端の外部に延び、その第２端部が前記第１および第２端子群の第２端部よりも短く、その少なくとも１つの端子が他の端子よりも長い、やはり湾曲形状をした複数の第３端子群と、
その各第１端部が、前記筐体の前面から前記挿入スロットに挿入され、かつ長い前記第３端子群に近接し、その各第２端部が、取り付けるために前記筐体の前面の外部に延びる、複数の第４端子群とを備え、
したがって、メモリ・カードを前記筐体の前面から前記挿入スロットに挿入するときに、前記メモリ・カードにアクセスするために、前記メモリ・カードの複数の接点が、それぞれ前記第１端子群、前記第２端子群、前記第３端子群、または前記第４端子群に接触することができることからなる。
又、前記メモリ・カードを、ｘＤカード、ＳＤ／ＭＭＣカード、スマート・メディア・カード、またはＭＳカードとすることができることが好適である。
又、前記第１端子群が、前記ＳＤ／ＭＭＣメモリ・カードの前記接点に接触していることが好適である。
又、前記第２端子群が、前記ＭＳメモリ・カードの前記接点に接触していることが好適である。
又、前記第３端子群が、前記スマート・メディア・メモリ・カードの前記接点に接触していることが好適である。
又、前記第４端子群が、前記ｘＤメモリ・カードの前記接点に接触していることが好適である。
又、前記筐体の両側それぞれに取付け穴をさらに備えることが好適である。
又、前記コネクタが、固定するために、前記取付け穴の中に位置決めされた取付け板をさらに備えることが好適である。
又、前記スマート・メディア・メモリ・カードにデータが書き込まれるのを防ぐために、前記筐体内の前記第４端子群の片側に組み込まれた書込み保護装置をさらに備えることが好適である。
さらに、前記書込み保護装置が複数の第５端子群をさらに備えるこが好適である。
【０００６】
本考案の他の態様によれば、各端子群は、筐体底面の外部に延びる、表面実装技術を通じてプリント基板にはんだ付けするための、はんだ端部を有する。
【０００７】
【考案の実施の形態】
本考案は、以下の詳細な説明および添付の図面を参照することによって、さらに理解することができる。
【０００８】
図１〜２を参照すると、筐体１０と、複数の第１端子群２１と、複数の第２端子群２２と、複数の第３端子群２３と、複数の第４端子群２４とを備える、複数記憶媒体用コネクタ構造が示されている。
【０００９】
筐体１０は、電気絶縁材料製であり、その前面から内側に水平に延びる挿入スロット１２を備える。挿入スロット１２は、ｘＤカード、ＭＳカード、ＳＭカード、ＳＤカード、ＭＭＣカードなど、様々なメモリ・カードのサイズおよび形状に従うようにしている。筐体１０の上面１０２が複数の開口部１０１を有し、筐体１０の両側面がそれぞれ取付け穴１１を有し、プリント基板上に固定するために、表面実装技術（ＳＭＴ：Ｓｕｒｆａｃｅ　Ｍｏｕｎｔｅｄ　Ｔｅｃｈｎｏｌｏｇｙ）を用いて取付け板１５を取付け穴１１内に位置決めすることができる。第１端子群２１は、湾曲形状をしており、第１端子群２１の各第１端部２１１が、筐体１０の背面端から挿入スロット１２に挿入され、開口部１０１内に延び、第１端子群２１の各第２端部２１２が、取り付けるために筐体１０の背面端の外部に延びている。第１端子群２１が、ＳＤ／ＭＭＣメモリ・カード５０の接点に接触することが好ましい。
【００１０】
第２端子群２２も湾曲形状をしており、第２端子群２２の各第１端部２２１が、筐体１０の背面端から挿入スロット１２に挿入され、第１端子群２１の下方に配置され、第２端子群２２の各第２端部２２２が、取り付けるために筐体１０の背面端の外部に延びて第１端子群２１に交差している。第２端子群２２が、ＭＳメモリ・カード３０の接点に接触することが好ましい。
【００１１】
第３端子群２３も湾曲形状をしており、第３端子群２３の各第１端部２３１が、筐体１０の背面端から挿入スロット１２に挿入されて第２端子群２２の下方に配置され、第３端子群２３の各第２端部２３２が、取り付けるために筐体１０の背面端の外部に延びており、第３端子群２３の第２端部２３２は、第１端子群２１の第２端部２１２および第２端子群２２の第２端部２２２よりも短い。第３端子群２３の少なくとも１つの端子２３３が他の端子２３１よりも長く、第３端子群２３がＳＭメモリ・カード６０の接点に接触することが好ましい。
【００１２】
第４端子群２４では、第４端子群２４の各第１端部２４１が、筐体１０の前面から挿入スロット１２に挿入されて、長い第３端子群２３３に近接しており、第４端子群２４の各第２端部２４２が、取り付けるために筐体１０の前面の外部に延びている。第４端子群２４が、ｘＤメモリ・カード４０の接点に接触していることが好ましい。したがって、メモリ・カード（ＭＳメモリ・カード３０、ｘＤメモリ・カード４０、ＳＤ／ＭＭＣメモリ・カード５０、ＳＭメモリ・カード６０など）を筐体１０の前面から挿入スロット１２に挿入するとき、メモリ・カードにアクセスするために、メモリ・カードの複数の接点を、それぞれ、第１端子群２１、第２端子群２２、第３端子群２３、または第４端子群２４に接触させることができる。
【００１３】
図２を参照すると、本考案による複数記憶媒体用コネクタ構造の分解図が示されている。図２に示すように、複数記憶媒体用コネクタ構造は、筐体１０と、複数の第１端子群２１と、複数の第２端子群２２と、複数の第３端子群２３と、複数の第４端子群２４とを備える。第１端子群２１が筐体１０の最上位置に配置され、第２端子群２２が第１端子群２１の下方に配置され、第２端子群２２の各第２端部２２２が、取り付けるために筐体１０の背面端の外部に延びて第１端子群２１と交差しており、第３端子群２３が第２端子群２２の下方に配置され、第３端子群２３の少なくとも１つの端子２３３が明らかに他の端子２３１よりも長く、第４端子群２４では、その各第１端部２４１が、筐体１０の前面から挿入スロット１２に挿入されて、長い第３端子２３３に近接しており、第４端子群２４の他方の端部２４２が、取り付けるために筐体１０の前面の外部に延びている。加えて、コネクタ構造１は、スマート・メディア・メモリ・カード６０にデータが書き込まれるのを防ぐために、筐体１０内の第４端子群２４の片側に組み込まれた書込み保護装置１６をさらに備えており、書込み保護装置１６は、複数の第５端子群をさらに備える。
【００１４】
図３（ａ）を参照すると、本考案による複数記憶媒体用コネクタ構造の正面図が示されている。図３（ａ）に示すように、第１端子群２１が筐体１０の最上位置に配置され、第２端子群２２が第１端子群２１の下方に配置され、第３端子群２３が第２端子群２２の下方に配置されている。挿入スロット１２の両側に配置された空間１３は、大きいスマート・メディア・メモリ・カード６０を挿入するための、より広い空間を提供するものである。
【００１５】
図３（ｂ）を参照すると、本考案による複数記憶媒体用コネクタ構造の断面図が示されている。図３（ｂ）に示すように、第１端子群２１、第２端子群２２、第３端子群２３、および第４端子群２４の場所がはっきりとわかる。第４端子群２４の第１端部２４１が、筐体１０の前面から挿入スロット１２に挿入されて、長い第３端子２３３に近接しており、第４端子群２４の他方の端部２４２が、取り付けるために筐体１０の前面の外部に延びている。第１端子群２１の第２端部２１２および第２端子群２２の第２端部２２２は、取り付けるために筐体１０の背面端の外部に延び、互いに交差している。第３端子群２３の第２端部２３２は、第１端子群２１の第２端部２１２および第２端子群２２の第２端部２２２よりも短い。
【００１６】
前述のように、筐体１０は、ｘＤカード、ＳＭカード、ＭＳカード、ＳＤカード、ＭＭＣカードなど、様々な一連のメモリ・カードの１つを受けるのに、挿入スロット１２を１つだけ必要とする。書込み保護装置１６の配置によって、ＳＤカードの挿入と、その書込み保護状態とが検出される。
【００１７】
説明のために、本考案の特定の実施形態について詳細に記載したが、本考案の精神および範囲から逸脱することなく、様々な修正および機能強化を実施することができる。したがって、本考案は、添付の実用新案登録請求の範囲によってのみ制限されるものとする。
【図面の簡単な説明】
【図１】本考案による複数記憶媒体用コネクタ構造の組立図である。
【図２】本考案による複数記憶媒体用コネクタ構造の分解図である。
【図３（ａ）】本考案による複数記憶媒体用コネクタ構造の正面図である。
【図３（ｂ）】本考案による複数記憶媒体用コネクタ構造の断面図である。
【符号の説明】
１　複数記憶媒体用コネクタ構造
１０　筐体
１１　取付け穴
１２　挿入スロット
１３　空間
１５　取付け板
１６　書込み保護装置
２１　第１端子群
２２　第２端子群
２３　第３端子群
２４　第４端子群
３０　ＭＳメモリ・カード
４０　ｘＤメモリ・カード
５０　ＳＤ／ＭＭＣメモリ・カード
６０　ＳＭメモリ・カード
１０１　開口部
【図１】
0003097154.tif 000003
【図２】
0003097154.tif 000004
【図３（ａ）】
0003097154.tif 000005
【図３（ｂ）】
0003097154.tif 000006